(57)【要約】【課題】本発明は、宝石類が損傷を受ける心配がなく、しかもよりバリエーションの豊富なデザインを採用できる揺れ動く装身具を提供しようとするものである。【解決手段】適宜形状を付与した１本または２本のスライド用レールと、該レールにスライド可能に係合している装飾部材とを備えた揺れ動く装身具であって、前記装飾部材が前記スライド用レールに係合してスライドするリング状枠材を外縁に備えていることを特徴とする揺れ動く装身具。【選択図】図１４
2017113062.tif 000002
【特許請求の範囲】
【請求項１】
適宜形状を付与した１本または２本のスライド用レールと、
該レールにスライド可能に係合している装飾部材とを備えた揺れ動く装身具であって、
前記装飾部材が前記スライド用レールに係合してスライドするリング状枠材を外縁に備えていることを特徴とする揺れ動く装身具。
【請求項２】
前記装飾部材が、前記１本のスライド用レールを挟んでおもり部材と対になるように設けられていることを特徴とする請求項１に記載の揺れ動く装身具。
【請求項３】
前記装飾部材が、前記２本のスライド用レール間をスライドするようにしたことを特徴とする請求項１に記載の揺れ動く装身具。
【請求項４】
前記スライド用レールに係合してスライドするリング状枠材が、前記スライド用レールと同じ硬さの素材からなることを特徴とする請求項１ないし３のいずれかに記載の揺れ動く装身具。
【発明の詳細な説明】
【技術分野】
【０００１】
本発明は揺れ動く装身具に係り、特にブローチやペンダントブレスレット、イヤリング等に広く利用することができる揺れ動く装身具の提供を目的とするものである。
【背景技術】
【０００２】
従来の揺れ動く装身具としては、実開昭５４−７５２８８号公報（特許文献１参照）のような、幾何学的形状を付与した表側枠体乃至板体とこれと同様形状の裏側枠体を重ね合わせて一体化すると共に前記表側枠体乃至板体に形成してある窓孔に貴石を転動移動可能に嵌装したペンダントが提案されている。
【先行技術文献】
【特許文献】
【０００３】
【特許文献１】実開昭５４−７５２８８号公報
【発明の概要】
【発明が解決しようとする課題】
【０００４】
しかしながら、前記の先行技術におけるペンダントにおいては、窓孔部分の素材と貴石の硬さが異なるために窓孔と貴石とがこすれ合って貴石が損傷してしまったり、逆に窓孔が傷ついて貴石がスムーズに移動しにくくなったりするという問題点があった。
また、貴石が窓孔をスムーズに移動するためには、カットされた貴石などが使えない等の理由で貴石のデザインが限定されてしまうため、バリエーションのあるデザインが採用できないという問題があった。
【０００５】
この発明は、従来例の以上のような問題点を解消しようとするものであり、宝石類が損傷を受ける心配がなく、しかもよりバリエーションの豊富なデザインを採用できる揺れ動く装身具を提供しようとするものである。
【課題を解決するための手段】
【０００６】
すなわちこの発明の揺れ動く装身具は、適宜形状を付与した１本または２本のスライド用レールと、
該レールにスライド可能に係合している装飾部材とを備えた揺れ動く装身具であって、
前記装飾部材が前記スライド用レールに係合してスライドするリング状枠材を外縁に備えていることを特徴とするものである。
【０００７】
この発明の揺れ動く装身具は、前記装飾部材が、前記１本のスライド用レールを挟んでおもり部材と対になるように設けられていることをも特徴とするものである。
【０００８】
この発明の揺れ動く装身具は、前記装飾部材が、前記２本のスライド用レール間をスライドするようにしたことをも特徴とするものである。
【０００９】
この発明の揺れ動く装身具は、前記スライド用レールに係合してスライドするリング状枠材が、前記スライド用レールと同じ硬さの素材からなることをも特徴とするものである。
【発明の効果】
【００１０】
請求項１の発明においては、適宜形状を付与した１本または２本のスライド用レールと、該レールにスライド可能に係合している装飾部材とを備えた揺れ動く装身具であって、前記装飾部材が前記スライド用レールに係合してスライドするリング状枠材を外縁に備えている。
したがって宝石類が損傷を受ける心配がなく、しかもよりバリエーションの豊富なデザインを採用できる揺れ動く装身具を提供することができる。
【００１１】
請求項２の発明においては、前記装飾部材が、前記１本のスライド用レールを挟んでおもり部材と対になるように設けられている。
そのため単に装飾部材がスライド用レールに沿ってスライドするだけでなく、下方のおもり部材がスイング動作をもするので、単調さを解消した揺れ動く装身具を提供することが可能となった。
【００１２】
請求項３の発明においては、前記装飾部材が、前記２本のスライド用レール間をスライドするようにした。
そのため装飾部材がスライド用レールに沿ってスムーズにスライドするだけでなく、装飾部材がスライド時に回転動作をもするので、装飾部材に内在させた宝石類がキラキラと輝くようにすることができる揺れ動く装身具を提供することが可能となった。
【００１３】
請求項４の発明においては、前記スライド用レールに係合してスライドするリング状枠材が、前記スライド用レールと同じ硬さの素材で形成してあるので、前記スライド用レールとリング状枠材の一方のみが早く摩耗してしまうことがなく、耐久性に優れた揺れ動く装身具を提供することが可能となった。
【図面の簡単な説明】
【００１４】
【図１】本発明の第１実施例を示す概略正面図である。
【図２】その概略背面図である。
【図３】装飾部材を省略した概略平面図である
【図４】その概略中央断面図である。
【図５】揺れ動く動作をしている際の概略正面図である。
【図６】スライド用レールと装飾部材とを分離した状態の概略斜視図である。
【図７】その中央切断概略斜視図である。
【図８】背面側から見たスライド用レールの概略斜視図である。
【図９】その中央切断概略斜視図である。
【図１０】スライド用レールと装飾部材とを組み付けた状態の概略斜視図である。
【図１１】その中央切断概略斜視図である。
【図１２】装飾部材を一端に向けてスライドさせた状態の概略斜視図である。
【図１３】本発明の第２実施例を示す概略正面図である。
【図１４】装飾部材のスライドの軌跡を示す概略正面図である。
【図１５】図１３の概略中央断面図である。
【図１６】図１３の中央切断概略斜視図である。
【図１７】装飾部材がスライドした状態の中央切断概略斜視図である。
【図１８】チェーンを取り付けた状態の概略斜視図である
【図１９】装飾部材がスライドした状態を示す概略斜視図である。
【発明を実施するための形態】
【００１５】
以下本発明の揺れ動く装身具の実施の形態について、ペンダントを例に図面に基いて詳細に説明する。
図１ないし図１２は本発明の第１実施例を示すものである。
図１ないし図１２において、１１は揺れ動く装身具１０の本体を構成する三日月状のスライド用レールであり、該スライド用レール１１には、外縁にリング状枠材１４を取り付けたダイヤモンド等の宝石１３からなる装飾部材１２がスライド可能に係合されている。そして外縁のリング状枠材１４には宝石１３がガードル部分１３ａを取り囲まれ、つめ留めや彫り留め、伏せ込み等（図示せず）の手段で組み付けられている。
したがって宝石１３類が損傷を受ける心配がなく、しかもよりバリエーションの豊富なデザインが採用可能である揺れ動く装身具を提供することができる。
【００１６】
本実施例では前記装飾部材１２を構成するリング状枠材１４は、図４に示すように筒状構造であり、筒状の前面には宝石１３が上述のように組み付けられ、外周面には２条のリング溝１４ａ，１４ｂが形成されている。また２条のリング溝１４ａ，１４ｂの間には線材１５が前記リング状枠材１４を取り囲むように配設され、その下端にはおもり部材１６が吊り下げられている。
【００１７】
他方、前記スライド用レール１１は図６〜図１１に示すように、前部板材１１ａと後部板材１１ｂ、それらの両端を連結固定する連結部１１ｃで構成されてほぼ三日月の形状に一体化されている。１７はチェーン等を連結するための丸環である。
前記前部板材１１ａの前面にはメレダイヤ等の小粒の宝石１１ｄが所定の間隔で配設されている。また前記後部板材１１ｂの中央は長さ方向に沿って開放していて、開放部分からおもり部材１６を見ることができる。
各前部板材１１ａおよび後部板材１１ｂの上端には、その長さ方向に沿ってそれぞれレール部１１ｅ，１１ｆを構成する突条が形成されており、該突条からなる一対のレール部１１ｅ，１１ｆにそれぞれ前記２条のリング溝１４ａ，１４ｂがはめ込まれている。
【００１８】
前記のような構成の揺れ動く装身具１０においては図１、図２、図４〜図７、図１１に示すように、前記装飾部材１２が前記１本のスライド用レール１１を挟んでおもり部材１６と対になるように組み付けられている。
そのため図５および図１２に示すように、単に装飾部材１２がスライド用レール１１に沿ってスライドするだけでなく、下方のおもり部材１６がスイング動作をもするので、単調さを解消した揺れ動く装身具を提供することが可能となった。
【００１９】
次に、図１３ないし図１９は本発明の第２実施例を示すものである。
図１３ないし図１９において、２１は揺れ動く装身具２０の円形本体の下部内周面に取り付けた円弧状のスライド用レールであり、該スライド用レール２１には、外縁にリング状枠材２４を取り付けたダイヤモンド等の宝石２３からなる装飾部材２２がスライド可能に係合されている。そして外縁のリング状枠材２４には宝石２３がガードル部分２３ａを取り囲まれ、つめ留めや彫り留め、伏せ込み等（図示せず）の手段で組み付けられている。
したがって宝石２３類が損傷を受ける心配がなく、しかもよりバリエーションの豊富なデザインが採用可能である揺れ動く装身具を提供することができる。
【００２０】
本実施例でも前記装飾部材２２を構成するリング状枠材２４は、図１５に示すように筒状構造であり、筒状の前面には宝石２３が上述のように組み付けられ、外周面にはリング溝２４ａが形成されている。
【００２１】
他方、図１３〜図１６に示すように、前記装身具２０の円形本体の内周面に取り付けた円弧状の外部スライド用レール２１ａは、内周側に向かって細幅のほぼＶ字状断面をなしている。また、前記装身具２０の円形本体と同心円の内側本体３１の外周面に取り付けた円弧状の内部スライド用レール２１ｂも、外周側に向かって細幅のほぼＶ字状断面をなしている。
そして一対の外部スライド用レール２１ａおよび内部スライド用レール２１ｂ間に前記リング溝２４ａがはめ込まれている。
【００２２】
前記のような構成の揺れ動く装身具２０においては、図１４、図１７および図１９に示すように、装飾部材２２がスライド用レール２１に沿ってスライドするだけでなく、装飾部材２２がスライド時に回転動作をもするので、装飾部材２２に内在させた宝石２３類がキラキラと輝くようにすることができるようになった。
なお図において２５は、前記装身具２０の円形本体および内側本体３１の前面に所定の間隔でそれぞれ配設したメレダイヤ等の小粒の宝石である。２６は前記装身具２０の円形本体および内側本体３１間を連結保持するための、装飾性を持たせたアーチ状連結部、２７は前記装身具２０の円形本体の上部に所定の間隔で一対開設したチェーン２８を挿通するための開口部である。
【００２３】
なお、前記スライド用レール１１，２１に係合してスライドするリング状枠材１４，２４は、前記スライド用レール１１，２１と同じ硬さの素材で形成することにより、前記スライド用レール１１，２１とリング状枠材１４，２４の一方のみが早く摩耗してしまうことがなく、耐久性に優れた揺れ動く装身具を提供することが可能である。
【００２４】
なお、前記各実施例においては、ペンダントの形状を三日月や円形とした場合について説明したが、本発明はこれらの形状のペンダントに限定されるべき性質のものではなく、任意の形状を採択してブローチ、指輪、イヤリング、カフスボタン、ネクタイピン等の装身具として提供し得るものである。
【符号の説明】
【００２５】
１０  揺れ動く装身具
１１  スライド用レール
１１ａ  前部板材
１１ｂ  後部板材
１１ｃ  連結部
１１ｄ  小粒の宝石
１１ｅ，１１ｆ  レール部
１２  装飾部材
１３  宝石
１３ａ  ガードル部分
１４  リング状枠材
１４ａ，１４ｂ  リング溝
１５  線材
１６  おもり部材
１７  丸環
２０  揺れ動く装身具
２１  スライド用レール
２１ａ  外部スライド用レール
２１ｂ  内部スライド用レール
２２  装飾部材
２３  宝石
２３ａ  ガードル部
２４  リング状枠材
２４ａ  リング溝
２５  小粒の宝石
２６  アーチ状連結部
２７  開口部
２８  チェーン
３１  内側本体
【図１】
2017113062.tif 000003
【図２】
2017113062.tif 000004
【図３】
2017113062.tif 000005
【図４】
2017113062.tif 000006
【図５】
2017113062.tif 000007
【図６】
2017113062.tif 000008
【図７】
2017113062.tif 000009
【図８】
2017113062.tif 000010
【図９】
2017113062.tif 000011
【図１０】
2017113062.tif 000012
【図１１】
2017113062.tif 000013
【図１２】
2017113062.tif 000014
【図１３】
2017113062.tif 000015
【図１４】
2017113062.tif 000016
【図１５】
2017113062.tif 000017
【図１６】
2017113062.tif 000018
【図１７】
2017113062.tif 000019
【図１８】
2017113062.tif 000020
【図１９】
2017113062.tif 000021